(57)【要約】【課題】移動局のバッテリー消費を低減することができる移動局、無線アクセスネットワーク装置および無線通信システム並びに呼び出し制御信号送信方法を提供する。【解決手段】移動局との間で、シグナリング制御チャネルを設定し、複数のキャリアを用いて下り通信を行う無線アクセスネットワーク装置に、移動局群の呼び出し信号と、該呼出し信号を送信する周波数キャリアとを対応付ける移動局群割当手段と、前記移動局群の呼び出し信号と、該呼出し信号を送信する周波数キャリアとの対応を、移動局に通知する移動局群割当キャリア情報通知手段と、各移動局群に属する移動局の呼び出し信号の有無に応じて、呼び出し信号の有無を、対応する周波数キャリアにマッピングし、シグナリング制御チャネルを生成する呼び出し信号有無設定手段とを備えることにより達成される。【選択図】図４
2007312134.tif 000002
【特許請求の範囲】
【請求項１】
移動局との間で、シグナリング制御チャネルを設定し、複数のキャリアを用いて下り通信を行う無線アクセスネットワーク装置であって：
複数の移動局は群分けされ移動局群を構成し、
前記移動局群の呼び出し信号と、該呼出し信号を送信する周波数キャリアとを対応付ける移動局群割当手段；
前記移動局群の呼び出し信号と、該呼出し信号を送信する周波数キャリアとの対応を、移動局に通知する移動局群割当キャリア情報通知手段；
各移動局群に属する移動局の呼び出し信号の有無に応じて、呼び出し信号の有無を示す情報を、対応する周波数キャリアにマッピングし、シグナリング制御チャネルを生成する呼び出し信号有無設定手段；
を備えることを特徴とする無線アクセスネットワーク装置。
【請求項２】
請求項１に記載の無線アクセスネットワーク装置において：
移動局が通知する該移動局の識別番号に基づいて、該移動局が属する移動局群を割り当てる移動局群設定手段；
を備えることを特徴とする無線アクセスネットワーク装置。
【請求項３】
請求項１または２に記載の無線アクセスネットワーク装置において：
前記移動局群割当手段は、各移動局群の呼び出し信号を、ＯＦＤＭにおける少なくとも１つのサブキャリアに割り当てることを特徴とする無線アクセスネットワーク装置。
【請求項４】
無線アクセスネットワーク装置との間で、シグナリング制御チャネルを設定し、複数のキャリアを用いて下り通信を行う移動局であって：
前記移動局は、自局が属する移動局群に対して、着信情報が送信される間だけ受信処理を行う間欠受信を行い、
自局が属する移動局群を算出する移動局群識別手段；
ネットワークから通知される移動局群の呼び出し信号と、該呼出し信号を送信する周波数キャリアとの対応を示す移動局群割当キャリア情報にしたがい、自局が属する移動局群の呼出し信号が送信される周波数キャリアを算出する対応キャリア算出手段；
間欠受信タイミングにシグナリング制御チャネルを受信し、自局が属する移動局群の呼出し信号が送信される周波数キャリアに基づいて、呼び出し信号の有無を判断する呼び出し信号有無判断手段；
を備えることを特徴とする移動局。
【請求項５】
請求項４に記載の移動局において：
前記移動局群識別手段は、自局の識別番号に基づいて、自局が属する移動局群を算出することを特徴とする移動局。
【請求項６】
請求項４または５に記載の移動局において：
前記対応キャリア算出手段は、自局が属する移動局群の呼出し信号が送信される少なくとも１つのサブキャリアの周波数帯域を求めることを特徴とする移動局。
【請求項７】
移動局と無線アクセスネットワーク装置との間で、シグナリング制御チャネルを設定し、複数のキャリアを用いて下り通信を行う無線通信システムであって：
複数の移動局は群分けされ移動局群を構成し、
前記無線アクセスネットワーク装置は、
移動局群の呼び出し信号と、該呼出し信号を送信する周波数キャリアとを対応付ける移動局群割当手段；
前記移動局群の呼び出し信号と、該呼出し信号を送信する周波数キャリアとの対応を、移動局に通知する移動局群割当キャリア情報通知手段；
各移動局群に属する移動局の呼び出し信号の有無に応じて、呼び出し信号の有無を、対応する周波数キャリアにマッピングし、シグナリング制御チャネルを生成する呼び出し信号有無設定手段；
を備え、
前記移動局は、
自局が属する移動局群に対して、着信情報が送信される間だけ受信処理を行う間欠受信を行い、
自局が属する移動局群を算出する移動局群識別手段；
ネットワークから通知される移動局群の呼び出し信号と、該呼出し信号を送信する周波数キャリアとの対応を示す移動局群割当キャリア情報にしたがい、自局が属する移動局群の呼出し信号が送信される周波数キャリアを算出する対応キャリア算出手段；
間欠受信タイミングにシグナリング制御チャネルを受信し、自局が属する移動局群の呼出し信号が送信される周波数キャリアに基づいて、呼び出し信号の有無を判断する呼び出し信号有無判断手段；
を備えることを特徴とする無線通信システム。
【請求項８】
移動局と無線アクセスネットワーク装置との間で、シグナリング制御チャネルを設定し、複数のキャリアを用いて下り通信を行う無線通信システムにおける呼出し制御信号送信方法であって：
複数の移動局は群分けされ移動局群を構成し、
無線アクセスネットワーク装置が、移動局群の呼び出し信号と、該呼出し信号を送信する周波数キャリアとを対応付ける移動局群割当ステップ；
無線アクセスネットワーク装置が、前記移動局群の呼び出し信号と、該呼出し信号を送信する周波数キャリアとの対応を、移動局に通知する移動局群割当キャリア情報通知ステップ；
無線アクセスネットワーク装置が、各移動局群に属する移動局の呼び出し信号の有無に応じて、呼び出し信号の有無を、対応する周波数キャリアにマッピングし、シグナリング制御チャネルを生成する呼び出し信号有無設定ステップ；
を有し、
移動局が、自局が属する移動局群を算出する移動局群識別ステップ；
移動局が、ネットワークから通知される移動局群の呼び出し信号と、該呼出し信号を送信する周波数キャリアとの対応を示す移動局群割当キャリア情報にしたがい、自局が属する移動局群の呼出し信号が送信される周波数キャリアを算出する対応キャリア算出ステップ；
移動局が、間欠受信タイミングにシグナリング制御チャネルを受信し、自局が属する移動局群の呼出し信号が送信される周波数キャリアに基づいて、呼び出し信号の有無を判断する呼び出し信号有無判断ステップ；
を有することを特徴とする呼出し制御信号送信方法。
【発明の詳細な説明】
【技術分野】
【０００１】
本発明は、移動局、無線アクセスネットワーク装置および無線通信システム並びに呼出し制御信号送信方法に関する。
【背景技術】
【０００２】
ＩＭＴ−２０００システムのような無線通信システムで使用される移動局は、待ち受け中に基地局からの制御信号を間欠的に受信し、省電力化（バッテリーセービング）を図っている。具体的には、移動局で行われる間欠受信動作は２段階に分けて行われる。
【０００３】
図１を参照して説明する。
【０００４】
間欠受信の第１段階では、移動局はページングインジケータチャネル（ＰＩＣＨ：  Ｐａｇｉｎｇ  Ｉｎｄｉｃａｔｏｒ  Ｃｈａｎｎｅｌ）をネットワークから指定された間欠受信（ＤＲＸ）周期にしたがい、間欠的に受信する（ページング機会（Ｐａｇｉｎｇ  ｏｃｃａｓｉｏｎ））。
【０００５】
Ｐａｇｉｎｇ  ｏｃｃａｓｉｏｎは、例えば（ＩＭＳＩ  ｄｉｖ  Ｋ）  ｍｏｄ  ＤＲＸ  ｃｙｃｌｅ  ｌｅｎｇｔｈ  ＋  ｎ＊ＤＲＸ  ｃｙｃｌｅ  ｌｅｎｇｔｈで表される。ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）は、ユーザに対して固定的に割り当てられるユーザ識別子である。図１において、τＰＩＣＨは、ページングインジケータフレームとページング信号との時間関係を示す。すなわち、移動局は、ページングインジケータフレームのτＰＩＣＨ後にページング信号を受信する。
【０００６】
例えば、受信するＤＲＸ周期は、２ｋフレーム（ｋは、６〜９の整数）、例えば６４０ｍｓのような値で表される。ＰＩＣＨには、例えば０．２５ｍｓの短期間のページングインジケータ（ＰＩ：  Ｐａｇｉｎｇ  Ｉｎｄｉｃａｔｏｒ）が多数含まれている。例えば、ＰＩは、（ＩＭＳＩ  ｄｉｖ  ８１９２）  ｍｏｄ  ＮＰで表される。ＮＰは、例えば１８、３６、７２、１４４の値を取り得る。
【０００７】
各移動局は自局のユーザ識別子（ＩＭＳＩ）により、自局が属する群（グループ）のＰＩが規定されている。群数がＮＰの場合、ＰＩＣＨ中に含まれる各ＰＩは、Ｐ０，・・・，Ｐｑ，・・・，ＰＮｐ−１のように示されている。図１に示すようにＰ０，・・・，Ｐｑ，・・・，ＰＮｐ−１には２８８ビット必要とされる。１無線フレームは３００ビット、１０ｍｓであるので、１２ビットが未使用となる。
【０００８】
移動局は、自局が属する群に対して、着信情報が送信されるタイミングＰｑで、ＰＩを間欠的に受信する。ＰＩは、各群に含まれる少なくとも１つの移動局宛のページング（Ｐａｇｉｎｇ）信号が発生しているか否かを示す。移動局は、ＰＩを復調し、自局が含まれる群宛のページング信号の有無を判定する。
【０００９】
自局宛のページング信号が有る場合は、間欠受信の第２段階に移行し、 ページング信号（Ｐａｇｉｎｇ）を受信する。
【００１０】
ＩＭＴ−２０００が適用されるシステムにおいては、ページング信号は物理チャネルのＳ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）上にマッピングされたトランスポートチャネルのページングチャネル（ＰＣＨ：  Ｐａｇｉｎｇ  Ｃｈａｎｎｅｌ）で伝送される。
【００１１】
ページングチャネルは、移動局において、例えば、１０ｍｓ程度の比較的長期間に渡って受信される。ページングチャネルがマッピングされる無線フレームは、ページングインジケータチャネル（ＰＩＣＨ：  Ｐａｇｉｎｇ  Ｉｎｄｉｃａｔｏｒ  ＣＨａｎｎｅｌ）に対してτＰＩＣＨの時間差を有するように関連付けられる。ページング信号は、より具体的には移動局のページング要求を含む。移動局は、ページング要求に応答してページング応答を返し、その後に下りのデータ伝送が始まる。従来の間欠受信方法については、例えば非特許文献１に記載されている。
【非特許文献１】立川敬二（監修），“Ｗ−ＣＤＭＡ移動通信方式”，丸善株式会社，  ２００１年６月，  ｐ２２２−２２３
【発明の開示】
【発明が解決しようとする課題】
【００１２】
しかしながら、上述した背景技術には以下の問題がある。
【００１３】
このような手法では、ページングインジケータ（ＰＩ）の検出確率を高くするために、ページングインジケータチャネルに含まれる群数を減らし、各群に割り当てるシンボル数を増やす必要がある。各群に割り当てるシンボル数を増やせば、ＰＩの検出確率は高くなるが、ＰＩの受信時間が長くなるため、移動局のバッテリーはその分消費される、という問題がある。
【００１４】
また、ページングインジケータチャネルに含まれる群数を減らした場合、１つの群に属する移動局の数が増加するため、自局が呼び出されていないのにページング信号を受信する確率が増加し、移動局のバッテリーを更に消費する、という問題もある。
【００１５】
本発明は，上記問題点に対処するためになされたものであり、その課題は移動局のバッテリー消費を低減することができる移動局、無線アクセスネットワーク装置および無線通信システム並びに呼び出し制御信号送信方法を提供することである。
【課題を解決するための手段】
【００１６】
上記課題を解決するため、本発明の無線アクセスネットワーク装置は、移動局との間で、シグナリング制御チャネルを設定し、複数のキャリアを用いて下り通信を行う無線アクセスネットワーク装置であって：
複数の移動局は群分けされ移動局群を構成し、
前記移動局群の呼び出し信号と、該呼出し信号を送信する周波数キャリアとを対応付ける移動局群割当手段；
前記移動局群の呼び出し信号と、該呼出し信号を送信する周波数キャリアとの対応を、移動局に通知する移動局群割当キャリア情報通知手段；
各移動局群に属する移動局の呼び出し信号の有無に応じて、呼び出し信号の有無を示す情報を、対応する周波数キャリアにマッピングし、シグナリング制御チャネルを生成する呼び出し信号有無設定手段；
を備えることを特徴の１つとする。
【００１７】
このように構成することにより、移動局に対して、各移動局群の呼び出しの有無をシグナリング制御チャネルの各キャリアで判断させることができ、間欠受信状態の移動局に対し、より短時間で呼び出し信号の有無を通知できる。このため、移動局のバッテリー消費を低減することができる。
【００１８】
また、本発明の移動局は、無線アクセスネットワーク装置との間で、シグナリング制御チャネルを設定し、複数のキャリアを用いて下り通信を行う移動局であって：
前記移動局は、自局が属する移動局群に対して、着信情報が送信される間だけ受信処理を行う間欠受信を行い、
自局が属する移動局群を算出する移動局群識別手段；
ネットワークから通知される移動局群の呼び出し信号と、該呼出し信号を送信する周波数キャリアとの対応を示す移動局群割当キャリア情報にしたがい、自局が属する移動局群の呼出し信号が送信される周波数キャリアを算出する対応キャリア算出手段；
間欠受信タイミングにシグナリング制御チャネルを受信し、自局が属する移動局群の呼出し信号が送信される周波数キャリアに基づいて、呼び出し信号の有無を判断する呼び出し信号有無判断手段；
を備えることを特徴の１つとする。
【００１９】
このように構成することにより、間欠受信状態の移動局は、シグナリング制御チャネルの各キャリアで、各移動局群の呼び出しの有無を判断できるため、より短時間の受信で、呼び出し信号の有無を判断できる。このため、移動局のバッテリー消費を低減することができる。
【００２０】
また、本発明の無線通信システムは、移動局と無線アクセスネットワーク装置との間で、シグナリング制御チャネルを設定し、複数のキャリアを用いて下り通信を行う無線通信システムであって：
複数の移動局は群分けされ移動局群を構成し、
前記無線アクセスネットワーク装置は、
移動局群の呼び出し信号と、該呼出し信号を送信する周波数キャリアとを対応付ける移動局群割当手段；
前記移動局群の呼び出し信号と、該呼出し信号を送信する周波数キャリアとの対応を、移動局に通知する移動局群割当キャリア情報通知手段；
各移動局群に属する移動局の呼び出し信号の有無に応じて、呼び出し信号の有無を、対応する周波数キャリアにマッピングし、シグナリング制御チャネルを生成する呼び出し信号有無設定手段；
を備え、
前記移動局は、
自局が属する移動局群に対して、着信情報が送信される間だけ受信処理を行う間欠受信を行い、
自局が属する移動局群を算出する移動局群識別手段；
ネットワークから通知される移動局群の呼び出し信号と、該呼出し信号を送信する周波数キャリアとの対応を示す移動局群割当キャリア情報にしたがい、自局が属する移動局群の呼出し信号が送信される周波数キャリアを算出する対応キャリア算出手段；
間欠受信タイミングにシグナリング制御チャネルを受信し、自局が属する移動局群の呼出し信号が送信される周波数キャリアに基づいて、呼び出し信号の有無を判断する呼び出し信号有無判断手段；
を備えることを特徴の１つとする。
【００２１】
このように構成することにより、間欠受信状態の移動局は、シグナリング制御チャネルの各キャリアで、各移動局群の呼び出しの有無を判断でき、より短時間の受信で、呼び出し信号の有無を判断できる。このため、移動局のバッテリー消費を低減することができる。
【００２２】
また、本発明の呼出し制御信号送信方法は、移動局と無線アクセスネットワーク装置との間で、シグナリング制御チャネルを設定し、複数のキャリアを用いて下り通信を行う無線通信システムにおける呼出し制御信号送信方法であって：
複数の移動局は群分けされ移動局群を構成し、
無線アクセスネットワーク装置が、移動局群の呼び出し信号と、該呼出し信号を送信する周波数キャリアとを対応付ける移動局群割当ステップ；
無線アクセスネットワーク装置が、前記移動局群の呼び出し信号と、該呼出し信号を送信する周波数キャリアとの対応を、移動局に通知する移動局群割当キャリア情報通知ステップ；
無線アクセスネットワーク装置が、各移動局群に属する移動局の呼び出し信号の有無に応じて、呼び出し信号の有無を、対応する周波数キャリアにマッピングし、シグナリング制御チャネルを生成する呼び出し信号有無設定ステップ；
を有し、
移動局が、自局が属する移動局群を算出する移動局群識別ステップ；
移動局が、ネットワークから通知される移動局群の呼び出し信号と、該呼出し信号を送信する周波数キャリアとの対応を示す移動局群割当キャリア情報にしたがい、自局が属する移動局群の呼出し信号が送信される周波数キャリアを算出する対応キャリア算出ステップ；
移動局が、間欠受信タイミングにシグナリング制御チャネルを受信し、自局が属する移動局群の呼出し信号が送信される周波数キャリアに基づいて、呼び出し信号の有無を判断する呼び出し信号有無判断ステップ；
を有することを特徴の１つとする。
【００２３】
このようにすることにより、間欠受信状態の移動局は、シグナリング制御チャネルの各キャリアで、各移動局群の呼び出しの有無で判断でき、より短時間の受信で、呼び出し信号の有無を判断できる。このため、移動局のバッテリー消費を低減することができる。
【発明の効果】
【００２４】
本発明の実施例によれば、移動局のバッテリー消費を低減できる移動局、無線アクセスネットワーク装置および無線通信システム並びに呼出し制御信号送信方法を実現できる。
【発明を実施するための最良の形態】
【００２５】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２６】
本発明の実施例にかかる無線通信システムについて、図２を参照して説明する。
【００２７】
無線通信システムは、移動局１００と無線アクセスネットワーク装置２００とから構成される。
【００２８】
移動局１００と、無線アクセスネットワーク装置２００とは複数のキャリアを用いて下り通信を行う。すなわち、無線アクセスネットワーク装置２００は、信号を複数のキャリアに分割して、移動局１００と通信を行う。
【００２９】
次に、本実施例にかかる移動局１００の構成について、図３を参照して説明する。
【００３０】
移動局１００は、アンテナを備えるデータ送受信部１０２と、データ送受信部１０２と接続されたデータ有無判定部１０４と、データ送受信部１０２と接続された対応キャリア算出部１０８と、対応キャリア算出部１０８と接続された移動局群識別部１０６とを備える。
【００３１】
データ送受信部１０２は、データの送受信を行う。例えば、データ送受信部１０２は、無線アクセスネットワーク装置２００が送信する移動局群割当キャリア情報の受信を行う。また、データ送受信部１０２は、自移動局が属する移動局群に対して、着信情報が送信される間だけ受信処理を行う間欠受信を行い、間欠受信を行う場合にシグナリング制御チャネルを受信する。また、データ送受信部１０２は、後述する対応キャリア算出部１０８で算出された対応キャリアで自移動局が属する移動局群の呼び出し信号の受信を間欠的に行う。
【００３２】
移動局群識別部１０６は、自局が含まれる移動局群を算出し、その情報を対応キャリア算出部１０８に通知する。例えば、移動局群識別部１０６は、群数と、自局に割り当てられた固定の移動局識別子、例えば上述したＩＭＳＩを用いて、自局が含まれる移動局群を算出する。また。移動局群識別部１０６は、他の方法で自局が含まれる移動局群を算出するようにしてもよい。群数は、システムで予め決定するようにしてもよいし、無線アクセスネットワーク装置２００により決定し、通知するようにしてもよい。
【００３３】
対応キャリア算出部１０８は、移動局群識別部１０６から通知された自局が含まれる移動局群と、ネットワーク、例えば無線アクセスネットワーク装置２００から指定された移動局群割当キャリア情報とから、自局が属する移動局群に割り当てられた対応キャリアを算出し、その結果をデータ送受信部 １０２に通知する。
【００３４】
移動局群割当キャリア情報には、移動局群の呼び出し信号と、呼び出し信号を送信する周波数キャリアとの対応が示される。例えば、移動局群の呼び出し信号と、少なくとも１つのサブキャリアとが対応づけられる。例えば、図５に示すように、移動局群の呼び出し信号と、ＯＦＤＭ（ｏｒｔｈｏｇｏｎａｌ  Ｆｒｅｑｕｅｎｃｙ  ｄｉｖｉｓｉｏｎ  ｍｕｌｔｉｐｌｅｘｉｎｇ）における少なくとも１つの直交するサブキャリアとが対応付けられる。図５では、移動局群の呼び出し信号と、ＯＦＤＭにおける１つの直交するサブキャリアとが対応づけられ、移動局群＃１〜＃６に対して、１つおきのサブキャリアが対応付けられている。
【００３５】
データ送受信部１０２は、対応キャリア算出部１０８で算出された対応キャリアで該移動局が属する移動局群の呼び出し信号（シグナリング制御チャネル）の受信を間欠的に行い、受信した移動局群の呼び出し信号をデータ有無判定部１０４に入力する。
【００３６】
データ有無判定部１０４は、該移動局が属する移動局群の呼び出し信号が送信される周波数キャリアに基づいて、呼び出し信号の有無を判断する。
【００３７】
データ有無判断部１０４は、自局が属する移動局群の呼び出し信号が有ると判断した場合、データ送受信部１０２に自局が属する移動局群の呼び出し信号が有ることを通知する。データ送受信部１０２は、データ送受信部１０２により通知された自局が属する移動局群の呼び出し信号があることを示す情報に基づいて、ページングチャネルを受信する。例えば、データ送受信部１０２は、自局が属する移動局群の呼び出し信号が送信される対応キャリアの周波数帯で送信されたページングチャネルを受信する。
【００３８】
図５では、一例として、各移動局群に呼び出し信号をシグナリング制御チャネルの１つのサブキャリアに割り当て、共有データチャネルで呼び出しのあった移動局群に属する移動局の呼び出しを行うマッピング方法を示す。すなわち、図５に示すように、移動局は、各移動局群に割り当てられたシグナリング制御チャネルの１つのサブキャリアで、自局が属する移動局群の呼出し信号があるか否かを判断し、自局が属する移動局群の呼出し信号がある場合、ページングチャネルを受信する。また、無線アクセスネットワーク装置２００は、共有データチャネルによりページング情報を送信し、移動局は、自局が属する移動局群の呼出し信号がある場合、共有データチャネルを受信するようにしてもよい。
【００３９】
また、各移動局群の検出確率を高くするために、各移動局群を複数のサブキャリアに割り当ててもよい。
【００４０】
次に、本実施例にかかる無線アクセスネットワーク装置２００について、図４を参照して説明する。
【００４１】
無線アクセスネットワーク装置２００は、送信部２０２と、送信部２０２と接続された移動局群割当キャリア情報通知部２０８と、移動局群割当キャリア情報通知部２０８と接続された移動局群割当部２０６と、移動局群割当部２０６と接続された移動局群決定部２０４と、送信部２０２と接続された呼び出し信号生成部２１０とを備える。
【００４２】
移動局群決定部２０４は、間欠受信タイミングで同時に呼び出す移動局群の群数を決定し、決定した移動局群の群数を移動局群割当部２０６に通知する。移動局群の群数は、システムで予め決定するようにしてもよいし、無線アクセスネットワーク装置２００により決定するようにしてもよい。
【００４３】
移動局群割当部２０６は、各移動局群の呼び出し信号に対して周波数キャリアの割当を行い、割当結果を移動局群割当キャリア情報通知部２０８に通知する。例えば、各移動局群に対応するキャリアの割当は、図５を参照して説明したように下りＯＦＤＭシステムの少なくとも１つのサブキャリアとしてもよい。すなわち、移動局群割当部２０６は、各移動局群の呼び出し信号と、移動局群の呼び出し信号を送信するＯＦＤＭにおける１つの直交するサブキャリアとを対応づける。
【００４４】
移動局群割当キャリア情報通知部２０８は、移動局群決定部２０４により決定された移動局群の群数と、各群に対応する周波数サブキャリアとの関係を示す移動局群割り当てキャリア情報を生成し、生成した移動局群割り当てキャリア情報を送信部２０２に通知する。
【００４５】
呼び出し信号生成部２１０は、各移動局群に属する移動局に対する呼び出し信号の有無に応じて、呼び出し信号の有無を設定した呼び出し用のシグナリング制御信号を生成し、生成した呼び出し用のシグナリング制御信号を送信部２０２に通知する。例えば、呼び出し信号生成部２１０は、ある移動局群に属する移動局に対する呼び出し信号がある場合、該移動局群に対する呼び出し信号が送信される周波数帯域で、呼び出し信号があることを示す情報を送信する。また、呼び出し信号生成部２１０は、ある移動局群に属する移動局に対する呼び出し信号がない場合、該移動局群に対する呼び出し信号が送信される周波数帯域で、呼び出し信号がないことを示す情報を送信する。
【００４６】
送信部２０２は、移動局群割当キャリア情報通知部２０８により生成された移動局群割当キャリア情報を移動局１００に対して送信する。また、送信部２０２は、呼び出し信号生成部２１０により生成された呼び出し用のシグナリング制御信号を移動局１００に対して送信する。例えば、図５に示すように、送信部２０２は、各移動局群に割り当てられたシグナリング制御チャネルの少なくとも１つのサブキャリアで、対応する移動局群の呼出し信号があるか否かを示す情報を送信する。
【００４７】
本実施例においては、無線アクセスネットワーク装置２００が、図６に示すように、無線制御装置の機能と、無線基地局装置の機能とを備える場合について説明した。この場合、例えば、無線制御装置２２０には、移動局群決定部２０４、移動局群割当部２０６および移動局群割当キャリア情報通知部２０８が配置され、無線基地局装置２３０には、呼び出し信号生成部２１０、送信部２０２が配置される。
【００４８】
また、無線アクセスネットワーク装置２００を、無線制御装置２２０と無線基地局装置２３０として実現するようにしてもよい。
【００４９】
次に、本実施例にかかる移動通信システムの動作について、図６を参照して説明する。
【００５０】
無線アクセスネットワーク装置２００は、移動局群決定部２０４において、移動局群の群数（グループ数）を設定する（ステップＳ６０２）。例えば、群数は、システムで予め決定される。例えば、移動局群決定部２０４は、移動局が受信機を起動した際の平均消費電流に基づいて、群数を決定するようにしてもよい。例えば、移動局群決定部２０４は、在圏する移動局数に基づいて、それらを群分けする群数を決定するようにしてもよい。このようにすることにより、在圏する移動局数に応じて群数を変更でき、１つの群に属する移動局の数を適切にできる。
【００５１】
次に、移動局群割り当て部２０６は、各移動局群に対応するキャリアの割当を行う（ステップＳ６０４）。例えば、移動局群割り当て部２０６は、各移動局群の呼出し信号と、呼び出し信号を送信するＯＦＤＭの少なくとも１つのサブキャリアとを対応づける。ここで、例えば、移動局群割り当て部２０６は、移動局から通知された各移動局に割り当てられた固定の移動局識別子と移動局群決定部２０６において決定された群数に基づいて、移動局群を算出する。また、移動局群割り当て部２０６は、他の方法で移動局群を算出するようにしてもよい。
【００５２】
次に、移動局群割り当てキャリア情報通知部２０８は、各群の呼び出し信号と、呼び出し信号に対応する周波数サブキャリアとの関係を示す移動局群割り当てキャリア情報を生成する（ステップＳ６０６）。
【００５３】
次に、送信部２０２は、移動局群割り当てキャリア情報を送信する（ステップＳ６１０）。
【００５４】
一方、移動局１００は、移動局群識別部１０６において、自局が含まれる移動局群を算出する（ステップＳ６０８）。例えば、移動局群識別部１０６は、群数が予め決定されている場合、該群数と自局に割り当てられた固定の移動局識別子を用いて、自局が含まれる移動局群を算出する。
【００５５】
また、無線アクセスネットワーク装置２００により群数が決定される場合には、ステップＳ６１０により送信された移動局群割り当てキャリア情報に基づいて、群数を把握し、自局が含まれる移動局群を算出するようにしてもよい。
【００５６】
次に、無線アクセスネットワーク装置２００は、呼出し信号生成部２１０において、各移動局群に属する移動局に対する呼び出し信号の有無に応じて、呼び出し信号の有無を示す情報を対応する周波数キャリアにマッピングし、呼び出し用のシグナリング制御信号を生成する（ステップＳ６１２）。
【００５７】
次に、移動局１００は、対応キャリア算出部１０８において、自局が含まれる移動局群と、移動局群割当キャリア情報とから、自局が属する移動局群に対応する対応キャリアを算出する（ステップＳ６１４）。
【００５８】
次に、送信部２０２は、呼び出し信号生成部２１０が移動局１００に対する呼び出し信号を生成した場合、該移動局が属する移動局群用のシグナリング制御信号を呼び出し有りとして送信する（ステップＳ６１８）。
【００５９】
移動局１００のデータ送受信部１０２は、対応キャリア算出部１０８で算出された対応キャリアで該移動局が属する移動局群の呼び出し信号（シグナリング制御チャネル）の受信を間欠的に行い、受信した移動局群の呼び出し信号をデータ有無判定部１０４に入力し、データ有無判定部１０４は、該移動局が属する移動局群の呼び出し信号の有無を判断する（ステップＳ６１８）。
【００６０】
本実施例によれば、各移動局群の呼び出しの有無がシグナリング制御チャネルの各キャリアで判断できるため、シグナリング制御チャネルの受信時間を短縮できる。そのため、間欠受信している移動局が受信機を起動している時間を短縮し、消費電力を低減可能である。
【００６１】
また、従来は移動局群の呼び出し有無の検出確率を高くするためには、移動局の受信機を起動している時間を延ばす必要があったため、移動局の消費電力を増加させる結果となっていたが、本実施例によれば、移動局の受信機を起動している時間は延ばさずに、各移動局群の呼び出し信号に割り当てるサブキャリア数を増加させることで、移動局群の呼び出し有無の検出確率を改善できるため、移動局の消費電力を低減可能である。
【産業上の利用可能性】
【００６２】
本発明にかかる移動局、無線アクセスネットワーク装置および無線通信システム並びに呼出し制御信号送信方法は、無線通信システムに適用できる。
【図面の簡単な説明】
【００６３】
【図１】移動局の呼び出し時に使用されるチャネルを示す説明図である。
【図２】無線アクセスネットワーク装置と移動局を示す構成図である。
【図３】本発明の一実施例にかかる移動局の機能ブロック図である。
【図４】本発明の一実施例にかかる無線アクセスネットワーク装置の機能ブロック図である。
【図５】本発明の一実施例にかかる移動局群呼び出し信号の割当方法を示す説明図である。
【図６】本発明の一実施例にかかる無線通信システムの動作を示すフロー図である。
【図７】本発明の一実施例にかかる無線アクセスネットワーク装置を示すブロック図である。
【符号の説明】
【００６４】
１００  移動局
１０２  データ送受信部
１０４  データ有無判定部
１０６  移動局群識別部
１０８  対応キャリア算出部
２００  無線アクセスネットワーク装置
２０２  送信部
２０４  移動局群決定部
２０６  移動局群割当部
２０８  移動局群割当キャリア情報通知部
２１０  呼び出し信号生成部
２２０  無線制御装置
２３０  無線基地局装置
【図１】
2007312134.tif 000003
【図２】
2007312134.tif 000004
【図３】
2007312134.tif 000005
【図４】
2007312134.tif 000006
【図５】
2007312134.tif 000007
【図６】
2007312134.tif 000008
【図７】
2007312134.tif 000009